(57)【要約】【課題】安全且つ比較的長寿命である木柵水路等を実用化できる棒状部材の並置組み用枠ブロックの提供。【解決手段】棒状部材の並置組み用枠ブロックは棒状部材Ｓを複数本纏めて並列に整理収納するべきコンクリート製枠ブロック１０である。ブロック１０は、部材Ｓの端部に臨むべき第１及び第２の溝壁部１，２と、これと一体構成であって、部材Ｓの軸長Ｌに概ね等しい溝底幅Ｗを持ち当該部材Ｓの長手面を臨むべき溝底部３と、溝壁部１，２と溝底部３とにより画成された部材収納溝４を有する。収納溝４の両方の溝終端は溝長さ方向に部材Ｓを出し入れ可能な第１及び第２の自由端５，６である。溝壁部１及び２には部材Ｓの端部側に対して掛け止めするべき第１及び第２の掛止部Ｆ１，Ｆ２が形成されている。【選択図】        図１
2004353288.tif 000002
【特許請求の範囲】
【請求項１】
丸太材，半丸太材等の棒状部材を外観材として複数本纏めて並列に整理収納するべき枠ブロックであって、前記棒状部材の端部に臨むべき溝壁部と、これと一体構成であって、前記棒状部材の軸長に概ね等しい溝底幅を持ち当該棒状部材の長手面に臨むべき溝底部と、前記溝壁部と前記溝底部とにより画成された部材収納溝を有し、この部材収納溝の一方の溝終端が溝長さ方向に前記棒状部材を出し入れ可能な自由端であり、前記部材収納溝内に前記溝長さ方向に亘って並置される前記棒状部材の溝開口外側への離脱を阻止する外れ止め手段を備えて成ることを特徴とする棒状部材の並置組み用枠ブロック。
【請求項２】
請求項１において、前記外れ止め手段は、前記溝壁部に一体的に形設されて前記棒状部材の端部側に対して掛け止めするべき掛止部であることを特徴とする棒状部材の並置組み用枠ブロック。
【請求項３】
請求項２において、前記掛止部は、前記溝壁部の傾斜した内側面部であることを特徴とする棒状部材の並置組み用枠ブロック。
【請求項４】
請求項２において、前記掛止部は、前記溝長さ方向に沿って形設されて成る鉤手状部であることを特徴とする棒状部材の並置組み用枠ブロック。
【請求項５】
請求項４において、前記鉤手状部は、前記棒状部材の前記端部に形設した角取り面と衝合するべき係合面を有することを特徴とする棒状部材の並置組み用枠ブロック。
【請求項６】
請求項２において、前記掛止部は、前記溝長さ方向に沿って形設され、前記棒状部材の端面に形設した切り込み溝に嵌合するべき係合突起であることを特徴とする棒状部材の並置組み用枠ブロック。
【請求項７】
請求項１乃至請求項６のいずれか一項において、前記自由端に対向する前記溝終端は自由端であることを特徴とする棒状部材の並置組み用枠ブロック。
【請求項８】
請求項１乃至請求項６のいずれか一項において、前記第１の自由端に対向する前記溝終端は固定端であることを特徴とする棒状部材の並置組み用枠ブロック。
【請求項９】
請求項１乃至請求項８のいずれか一項において、前記溝底部は少なくとも１つの貫通空部を有することを特徴とする棒状部材の並置組み用枠ブロック。
【請求項１０】
請求項１乃至請求項９のいずれか一項に規定する棒状部材の並置用枠ブロックを有し、前記棒状木材として丸太材又は半丸太材を用いて成ることを特徴とする擁壁用セグメント。
【発明の詳細な説明】
【０００１】
【発明の属する技術分野】
本発明は、護岸ブロック等に関し、丸太材などの棒状部材を並列に整理収納し、擁壁用セグメント，木柵用セグメント等として使用できる棒状部材の並置組み用枠ブロックに関する。
【０００２】
【従来の技術】
例えば、山間部や田園地帯においてコンクリートで固めた護岸は景観を阻害し、近年、自然風合いの木柵水路を施工したい要請がある。この木柵水路の施工は間伐材の利用促進により森林資源の循環的活用に資し、山林業の活性化にも繋がる。
【０００３】
【発明が解決しようとする課題】
しかしながら、現実問題として、木柵を構成する丸太杭の下端部は土中に埋設するために、水気と相俟って朽ち易く、また土圧により短寿命で倒壊し易く、安全上の難点と補修管理費のコスト高を招くので、観光地等のごく限られた場所にのみ施工されているに過ぎない。
【０００４】
そこで、上記問題点に鑑み、本発明の第１の課題は、従前に比し安全且つ比較的長寿命である木柵水路等を実用化できる棒状部材の並置組み用枠ブロックを提供することにある。
【０００５】
本発明の第２の課題は、施工及び補修の容易な木柵水路等を実用化できる棒状部材の並置組み用枠ブロックを提供することにある。
【０００６】
【課題を解決するための手段】
本発明は、先ず、新規な用途及び機能に特徴を持つブロックであって、丸太材，半丸太材等の棒状部材を外観材として複数本纏めて並列に整理収納するべき棒状部材の並置組み用枠ブロック（ホルダー）である。この枠ブロックは、棒状部材の端部に臨むべき溝壁部と、これと一体構成であって、棒状部材の軸長に概ね等しい溝底幅を持ち当該棒状部材の長手面に臨むべき溝底部と、溝壁部と溝底部とにより画成された部材収納溝を有する。この部材収納溝の一方の溝終端が溝長さ方向に棒状部材を出し入れ可能な自由端である。そして、部材収納溝内に溝長さ方向に亘って並置される棒状部材の溝開口外側への離脱を阻止する外れ止め手段を備えて成る。
【０００７】
斯かる枠ブロックの部材収納溝に対し丸太材などの複数本の棒状部材を装填する場合、はじめの数本を溝開口側から斜め姿勢で挿し入れても構わないが、最後の少なくとも１本は溝開口側から挿し込むことができないので、棒状部材を第１の自由端部から部材収納溝内へ押し込んで他方端方向へ寄せ付ける。棒状部材を軸長が両溝壁部間距離に斉一する姿勢で位置決めし、複数本の棒状部材を収納溝内に横並び状態に配列する。部材収納溝の溝幅が棒状部材の軸長に概ね合致しているため、装填作業では棒状部材のガイド溝として機能し、その作業効率は高い。現場施工前に棒状部材の装填作業を行うことができるため、従前の木柵施工に比し工期の短縮化に資する。そして、並列配置の各棒状部材の長手面が溝底部とは反対側の溝開口に主体的に露見し、例えば、丸太材を棒状部材として使用する場合は、横並び繰返しによるリズム感等の趣向から木柵風外観を良く呈する。
【０００８】
外れ止め手段を具備しているため、棒状部材の装填作業やブロック設置後において棒状部材が開口側から脱落することはない。棒状部材は部材収納溝内で並置されているため、棒状部材の土中埋設を必要とせず、また土圧が直接印圧することなく、倒壊の危険性を回避でき、しかも従前に比し長寿命化を実現できる。
【０００９】
この枠ブロックの特徴の一つとして、ブロック設置姿勢の自由度の大きい点を挙げることができる。自由端を上側にして他方の溝終端を下側に設置した姿勢では、棒状部材を上側の自由端を介して部材収納溝に落し込んだり、逆に引き出したりできるため、現場での棒状部材の装填作業が非常に楽になる。また棒状部材の交換も非常に容易となり、補修管理の容易化を実現できる。斯かる場合、棒状部材の軸長がグランド面に対して概ね平行となるため、横木柵として水路の擁壁セグメント，砂防擁壁セグメントなどに利用できる。枠ブロックの上に他の枠ブロックを何段も積み重ねた場合には、最上段枠ブロックの上側自由端を介して棒状部材の装填作業及び取外し作業を行うことができる。なお、最下段枠ブロックの下側溝端を固定端部として形成し、グランド面に対する設置姿勢の安定化のために、この固定端部を溝壁部よりも長く突出させて基底部として構成すると良い。
【００１０】
逆に、自由端を横向きに設置した姿勢では、棒状部材の軸長がグランド面に対して垂直となり、縦木柵として水路，砂防等の擁壁セグメント等に用いることができる。斯かる場合、グランド面に対する設置姿勢の安定化のために、枠ブロックの下側の溝壁部を上側の溝壁部よりも長く突出させて形成し、この下側の溝壁部を基底部として構成すると良い。他の用途としては、木道，水路床のセグメントや階段セグメントとしても利用でき、この枠ブロックの用途はその設置姿勢の如何と棒状部材の選定により広汎である。棒状部材は短軸でも長軸でも構わず、丸太材，半丸太材の外に、棒状石材を用いることができる。また、棒状部材に限らず、敷衍すれば板状外観材でも構わない。枠ブロックは言わばスライド装填式の額縁として機能する。なお、ブロック材料としては耐久性の点からコンクリートが通例であるが、設置場所によっては鋳鉄やアルミニウム等の鋳物材でも構わない。ブロックの露出面（溝壁部の端面など）に擬木や擬石等の装飾を施しても良い。
【００１１】
外れ止め手段としては、溝壁部に形設されて棒状部材の端部側に対して掛け止めするべき掛止部であることが望ましい。外観材としての棒状部材の主体的に現れる長手面に掛け止めするには、単に外観上好ましくないからであり、またインサートナット及びボルトを使用する締着部材を用いると、棒状部材の交換の際の手間が増えるからである。掛止部としては溝壁部に金具等を設けても良いが、更に生産効率及び外観体裁の上で顧慮する必要がある。
【００１２】
掛止部としては、例えば、溝壁部の傾斜した内側面部とする。その傾倒した内側面部は開口側では棒状部材の端部に当接し、棒状部材の端部を掛かり止めするため、金具を必要とせずに済む。ただ、棒状部材の端面と溝底面と溝壁部との間に空洞部が生じ易く、棒状部材の固定力がやや劣る。
【００１３】
そこで、掛止部としては、溝長さ方向に沿って一体的に形設されて成る鉤手状部であることが望ましい。鉤手状部により棒状部材の開口側への離脱を防止できると共に、棒状部材の端面を溝壁部の内側面に接触させることができるため、棒状部材の固定力が増強できる。ただ、この鉤手状部は棒状部材の周面に引っ掛るため、棒状部材の周面が鉤手状部のレベルよりも溝底部側に奥まってしまうので、凹凸が生じ外観体裁に遜色が有り、また木柵水路の擁壁セグメントをして用いる場合には、鉤手状部の位置で横断した部分の流断面がその余に較べて小さくなってしまい、幅狭の水路内では段波等を生じ易くなる。
【００１４】
ログハウス建築などに見られるように、丸太材などではチェンソーでの玉切り後の端部隅取り作業は通例であり、作業負担は殆ど問題にならないことに着目し、この端部隅取り面を利用すべく、鉤手状部の形状としては、棒状部材の端部に形設して成る角取り面に衝合するべき係合面とする。棒状部材の露出面レベルが溝壁部の端面レベルと面一にでき、外観体裁が向上すると共に、幅狭の水路内でも段波等を解消できる。ただ、鉤手状部の厚さ分が棒状部材の周面に引っ掛るため、鉤手状部の厚さ分が実質的に大きく現れ、外観材として棒状部材の露見長さが短くなる。
【００１５】
棒状部材の端部に角取り面を形設することは端部を雄型にすることであるが、これとは逆に、棒状部材の端面に切り込み溝を形設し、掛止部としては、溝壁部の溝長さ方向に沿って一体的に形設され、当該切り込み溝と嵌合するべき係合突起とすることが望ましい。係合突起が切り込み溝に嵌り概ね隠れるため、通常の溝壁部の厚さ程度が露見し、外観材として棒状部材の露見長さを長くできる。また、この係合突起をガイドレールとして使用できるので、棒状部材の装填作業及び取外し作業等の効率化に資する。
【００１６】
上記自由端に対向する溝終端としては自由端でも、固定端でも良い。固定端の場合は、枠ブロックを横木柵として水路の擁壁セグメントに使用するとき、最下段の枠ブロックにおいて固定端が棒状部材の受け台となる。
【００１７】
溝底部に少なくとも１つの貫通空部を形成しても良い。貫通空部を魚巣又は植生地などとして利用できる。
【００１８】
なお、上記の棒状部材の並置用枠ブロック内には棒状木材として丸太材又は半丸太材を整理収納する場合には、木柵風の擁壁用セグメントを提供できる。
【００１９】
【発明の実施の形態】
図１は本発明に係る棒状部材の並置組み用枠ブロックの実施例を示す斜視図、図２は同実施例を反対側から見た斜視図である。
【００２０】
本例の棒状部材の並置組み用枠ブロックは丸太材，半丸太材等の棒状部材を外観材として複数本纏めて並列に整理収納するべきコンクリート製枠ブロック１０である。この枠ブロック１０は、棒状部材Ｓの端部（木口）に臨むべき第１の溝壁部１及び第２の溝壁部２と、これと一体構成であって、棒状部材Ｓの軸長Ｌに概ね等しい溝底幅Ｗを持ち当該棒状部材Ｓの長手面を臨むべき溝底部３と、溝壁部１，２と溝底部３とにより画成された部材収納溝４を有する。本例における部材収納溝４の溝深さは棒状部材Ｓの直径寸法よりやや長くしてある。部材収納溝４の両方の溝終端が溝長さ方向に棒状部材Ｓを出し入れ可能な第１の自由端５及び第２の自由端６となっている。部材収納溝４内に溝長さ方向に亘って並置される複数の棒状部材Ｓの溝開口外側への離脱を阻止するための外れ止め手段は、第１の溝壁部１及び第２の溝壁部２に形設されて棒状部材Ｓの端部側に対して掛け止めするべき第１の掛止部Ｆ１及び第２の掛止部Ｆ２である。
【００２１】
第１の掛止部Ｆ１及び第２の掛止部Ｆ１は、図３（ａ）に示す如く、溝壁部の端部において溝長さ方向に沿って一体的に形設されて成る鉤手状部であり、その形状は、丸太材等の棒状部材Ｓの端部に形設した角取り面Ｓ１と衝合するべき係合面Ａを有する断面楔状である。
【００２２】
溝底部３には部材収納溝４とブロック背面側とを連通するための少なくとも１つの貫通空部３ａが形成されている。また、溝底部３の両溝壁側の側面には隣接ブロックとの接合の際に間詰めコンクリートを充填するための間詰め溝１ａ，２ａが形成されている。更に、溝底部３の第１の自由端５側には突条５ａが形成されていると共に、溝底部３の第２の自由端６側には嵌合溝６ａが形成されており、隣接ブロックとの接合の際に両者は嵌合される。そして、テーパー状の鉄筋挿通孔７，７が突条５ａから嵌合溝６ａにかけて形成されている。
【００２３】
枠ブロック１の部材収納溝４に対し丸太材などの複数本の棒状部材Ｓを装填する場合、はじめの数本については溝底部３とは反対側の溝開口側から斜め姿勢で挿し入れても構わないが、最後の少なくとも１本は溝開口側から挿し込むことができないので、棒状部材Ｓを第１の自由端５又は第２の自由端６を介して部材収納溝４内へ押し込み寄せ付ける。棒状部材Ｓの軸線を溝幅方向に斉一する姿勢で位置決めし、図５に示す如く、複数本の棒状部材Ｓを収納溝４内に横並び状態に配列する。
【００２４】
部材収納溝３の溝幅Ｗが棒状部材Ｓの軸長Ｌに概ね合致しているため、装填作業では棒状部材Ｓのガイド溝として機能し、その作業効率は高い。現場施工前に棒状部材Ｓの装填作業を行うことができるため、従前の木柵施工に比し工期の短縮化に資する。そして、並列配置の各棒状部材Ｓの長手面が図５（ａ）に示す様に溝底部３とは反対側の溝開口に主体的に露見し、例えば、丸太材を棒状部材として使用する場合は、横並び繰返しによるリズム感等の趣向から木柵風外観を良く呈する。
【００２５】
外れ止め手段としての掛止部Ｆ１，Ｆ２を具備しているため、棒状部材Ｓの装填作業やブロック設置後において棒状部材Ｓが開口側へ脱落することはない。棒状部材Ｓは部材収納溝３内で並置されているため、棒状部材Ｓの土中埋設を必要とせず、また土圧が直接印圧することなく、倒壊の危険性を回避でき、しかも従前に比し長寿命化を実現できる。
【００２６】
図６に示す如く、一方の自由端５を上側にして他方の自由端６を下側に設置した姿勢では、棒状部材Ｓを上側の自由端５を介して部材収納溝４に落し込んだり、逆に引き出したりできるため、現場での棒状部材Ｓの装填作業が非常に楽になる。また棒状部Ｓの交換も非常に容易となり、補修管理の容易化を実現できる。斯かる場合、棒状部材Ｓの軸長がグランド面に対して概ね平行となるため、横木柵として水路の擁壁セグメント，砂防擁壁セグメントなどに利用できる。更に、突条５ａと嵌合溝６ａとを嵌合して、枠ブロック１０の上に他の枠ブロック１０を何段も積み重ねた場合には、最上段枠ブロック１０の自由端５を介して棒状部材Ｓの装填作業及び取外し作業を行うことができる。
【００２７】
図７に示す如く、自由端５を上側にして複数の枠ブロック１０を横並びに設置した姿勢としても良い。逆に、図８に示す如く、自由端５を横向きに設置した姿勢では、棒状部材Ｓの軸長がグランド面に対して垂直となり、縦木柵として水路，砂防等の擁壁セグメント等に用いることができる。
【００２８】
枠ブロック１０の他の用途としては、溝底部３の背面をグランド面とする姿勢では、木道，水路床のセグメントや階段セグメントとしても利用できる。
【００２９】
この枠ブロック１０においては外れ止め手段の構成が重要である。図３（ｂ）及び（ｃ）に示す如く、溝壁部１（２）が溝底部３から反対の開口側にかけて次第に厚くなり、部材収納溝４側に傾倒した内側面Ｂを掛止部としても構わない。斯かる場合、棒状部材Ｓの端部が内側面Ｂに係合させるため、その端部は斜め端面とすれば良い。図３（ｃ）の場合、棒状部材Ｓの端面と溝底部３と溝壁部１（２）との間に空洞部Ｇが生じ、棒状部材Ｓの固定力がやや弱く、丸太材などでは木口からの朽ちが早いため、開口側への脱落の虞がある。また、溝壁部１（２）の開口側から見た露見幅ｔが広くなり、その分、外観材としての棒状部材Ｓの露出度が短くなる。
【００３０】
図３（ｄ）に示す如く、掛止部としては溝壁部１，２の端縁に一体的に形設されて成るＬ形鉤手状部ｆとすることもできる。このＬ形鉤手状部ｆにより棒状部材Ｓの開口側への離脱を防止できると共に、棒状部材Ｓの端面を溝壁部１，２の内側面Ｃに接触させることができるため、棒状部材Ｓの固定力を増強できる。ただ、このＬ形鉤手状部ｆは棒状部材Ｓの周面に引っ掛るため、棒状部材Ｓの長手面がＬ形鉤手状部ｆのレベルよりも溝底部３寄りに奥まってしまうので、凹凸が生じ外観体裁に遜色が有り、また木柵水路の擁壁セグメントとして用いる場合には、Ｌ形鉤手状部ｆの位置で横断した部分の流断面がその余に較べて窄まるため、幅狭の水路内では段波等を生じ易くなる。
【００３１】
ところが、図３（ａ）に示す掛止部Ｆ１（Ｆ２）では、溝壁部１（２）の先端部において棒状部材Ｓの端部に形設して成る角取り面Ｓ１と衝合するべき楔状の係合面Ａであるため、棒状部材Ｓの露出面レベルが溝壁部１（２）の端面レベルと面一にでき、しかも、図３（ｂ）〜（ｄ）の場合に比し、溝壁部１（２）の開口側から見た露見幅を小さくでき、外観体裁が向上すると共に、幅狭の水路内でも段波等を解消できる。ただ、鉤手状部の厚さ分が棒状部材Ｓの周面に引っ掛りこれを覆うため、なおも外観体裁が未だ悪い。
【００３２】
この問題を解決するために、図４（ａ）に示す如く、棒状部材Ｓの端面に断面Ｖ字状の切り込み溝Ｓ２を形設し、掛止部としては、溝壁部１（２）の溝長さ方向に沿って一体的に形設され、切り込み溝Ｓ２と嵌合するべき断面Ｖ字状の係合突起Ｐとする。この係合突起Ｐは溝壁部１（２）の中程に形成されている。係合突起Ｐが切り込み溝Ｓ２に嵌り概ね隠れるため、通常の溝壁部１（２）の厚さ程度が露見し、外観材として棒状部材Ｓの露見長さを長くできる。また、この係合突起Ｐをガイドレールとして機能し、棒状部材Ｓの装填及び並置作業の効率化に資する。図４（ｂ）は別の係合突起Ｑを示す。この係合突起Ｑは溝壁部１（２）の中程に形成され、その断面は矩形である。棒状部材Ｓの端面には断面矩形の切り込み溝Ｓ３が形設されており、係合突起Ｑは切り込み溝Ｓ３に嵌合する。係合突起Ｑは係合突起Ｐよりも、棒状部材Ｓに対する固定力が強いものの、棒状部材Ｓが丸太材などの場合、切り込み溝Ｓ３を形成する負担は切り込み溝Ｓ２のそれに比し多い。図４（ｃ）は別の係合突起Ｒを示し、この係合突起Ｒは図３（ｄ）のＬ形鉤手状部ｆと同様であるが、溝壁部１（２）の先端部に形成され、溝壁部１（２）の深さは棒状部材Ｓの半径寸法程度となっている。また、棒状部材Ｓの端面には断面Ｌ形の切り込み溝Ｓ４が形成されている。係合突起Ｒが断面Ｌ形の切り込み溝Ｓ４に嵌合するため、棒状部材Ｓに対する固定力が強く、溝壁部１（２）の先端部が棒状部材Ｓの端部に覆われて露出せず、外観体裁が優れている。ただ、棒状部材Ｓ毎に断面Ｌ形の切り込み溝Ｓ４を形成する負担は大きく、また棒状部材Ｓの端部の保護に欠ける。ところが、図４（ａ）に示す係合突起Ｐでは切り込み溝Ｓ２の形成も手軽であり、しかも棒状部材Ｓの端部も保護できる利点がある。
【００３３】
【発明の効果】
本発明は新規な用途及び機能に特徴を持つブロックであって、丸太材，半丸太材等の棒状部材を外観材として複数本纏めて並列に整理収納するべき棒状部材の並置組み用枠ブロックである。部材収納溝の一方の溝終端が溝長さ方向に棒状部材を出し入れ可能な自由端であるため、部材装填又は取り出しの作業において、自由端からも棒状部材を出し入れでき、作業効率を高めることができる。現場施工前に棒状部材の装填作業を行うことができるため、従前の木柵施工に比し工期の短縮化に資する。並列配置の各棒状部材の長手面が溝底部とは反対側の溝開口に主体的に露見し、例えば、丸太材を棒状部材として使用する場合は、横並び繰返しによるリズム感等の趣向から木柵風外観を良く呈する。外れ止め手段を具備しているため、棒状部材の装填作業やブロック設置後において棒状部材が開口側から脱落することはない。棒状部材は部材収納溝内で並置されているため、棒状部材の土中埋設を必要とせず、また土圧が直接印圧することなく、倒壊の危険性を回避でき、しかも従前に比し長寿命化を実現できる。
【図面の簡単な説明】
【図１】本発明に係る棒状部材の並置組み用枠ブロックの実施例を示す斜視図である。
【図２】同実施例を反対側から見た斜視図である。
【図３】（ａ）〜（ｄ）は同枠ブロックの外れ止め手段としての種々の態様を示す部分断面図である。
【図４】（ａ）〜（ｃ）は同枠ブロックの外れ止め手段としての種々の態様を示す部分断面図である。
【図５】（ａ）は同枠ブロックの正面図、（ｂ）は同枠ブロックの背面図である。
【図６】同枠ブロックを縦積み配置した状態を示す斜視図である。
【図７】同枠ブロックを横並び配置した状態を示す斜視図である。
【図８】同枠ブロックを別の横並び配置した状態を示す斜視図である。
【符号の説明】
１０…コンクリート製枠ブロック
Ｓ…棒状部材
１…第１の溝壁部
１ａ，２ａ…間詰め溝
２…第２の溝壁部
３…溝底部
３ａ…貫通空部
４…部材収納溝
５…第１の自由端
５ａ…突条
６…第２の自由端
６ａ…嵌合溝
７…鉄筋挿通孔
Ａ…係合面
Ｂ，Ｃ…内側面
Ｆ１…第１の掛止部
Ｆ２…第２の掛止部
ｆ…Ｌ形鉤手状部
Ｇ…空洞部
Ｌ…軸長
Ｐ，Ｑ，Ｒ…係合突起
Ｓ１…角取り面
Ｓ２，Ｓ３，Ｓ４…切り込み溝
ｔ…露見幅
Ｗ…溝底幅
【図１】
2004353288.tif 000003
【図２】
2004353288.tif 000004
【図３】
2004353288.tif 000005
【図４】
2004353288.tif 000006
【図５】
2004353288.tif 000007
【図６】
2004353288.tif 000008
【図７】
2004353288.tif 000009
【図８】
2004353288.tif 000010